(57)【要約】【課題】打設したコンクリート内に、コンクリート型枠用間隔保持具の残骸が残らないように設定された、コンクリート型枠用間隔規制部材を規制保持するコンクリート型枠用間隔保持具を提供することを目的とする。【解決手段】コンクリート型枠用間隔保持具Ａは直線上のピアノ線の一端をフック状に折り曲げてコンクリート型枠１７，３２の間隔巾を規制するコンクリート型枠用間隔規制部材が係合されるように構成されている。故コンクリート型枠を固持しているコンクリート型枠用間隔規制部材が開くことはなく、打設後にコンクリート型枠用間隔保持具Ａの残骸が埋設されることがないので、残骸の腐食によるコンクリート３５の劣化を来たさない。【選択図】図１
2005180146.tif 000002
【特許請求の範囲】
【請求項１】
対向して配置される一対のコンクリート型枠の両下端部に装着して両コンクリート型枠を所定間隔に保持するコンクリート型枠用間隔規制部材を一本の鋼線から成り、直線部と該直線部の両端をそれぞれ折り曲げて、コンクリート型枠の下端部に設けたコンクリート型枠用間隔規制部材を係止する係止部を形成したことを特徴とするコンクリート型枠用間隔保持具。
【発明の詳細な説明】
【発明の詳細な説明】
【発明に属する技術分野】
【０００１】本発明はコンクリート型枠用間隔保持具に関するものである。
【背景技術】
【０００２】従来のコンクリート型枠用間隔保持具３０は図６と図７に示すように板材の両端を折り曲げて型枠の外側規制片２９を形成し、且つ型枠の内側を規制すべく型枠３２の巾に相当する位置に内側規制片３１をプレス加工した構造を備えていた。かかる構造を備えたコンクリート型枠用間隔保持具３０で型枠３２の上下を保持していたがコンクリートを流し込むと下側のコンクリート型枠用間隔保持具３０の一部がコンクリート内に残骸として残り、これが腐食してコンクリートの強度の劣化の一因となる為、下側のコンクリート型枠用間隔保持具３０を廃止して型枠の間隔規制はコンクリート型枠用間隔規制部材２０と５０を使用し、図６はコンクリート型枠用間隔規制部材２０に取り付けたブラケット３８を打ち釘３９で固定する。図７はコンクリート型枠用間隔規制部材５０に打ち釘５１にて固定し型枠の間隔を保持している。
【発明が解決しようとする課題】
【０００３】上記構成によるコンクリート型枠用間隔規制部材２０又は５０を使用した場合、打ち釘等を使用する故コンクリートにキズ、ヒビ割れが入ること、コンクリート型枠用間隔規制部材が確実に固定出来ずコンクリート型枠の下部がコンクリート圧力にて開く危険性がある。
【０００４】本発明は上記課題に鑑み為されたものであって、コンクリート型枠用間隔保持部材を正確、確実に固定保持することよりコンクリート型枠が開かないコンクリート型枠用間隔保持具を提供するものであって、尚且つコンクリート内にはコンクリート型枠用間隔保持具の残骸を残さず除去出来る保持具を提供することを目的とするものである。
【課題を解決するための手段】
【０００５】上記目的を達成するために請求項１に記載の発明は、一対の対向して配置されたコンクリート型枠用間隔規制部材を係止するコンクリート型枠用間隔保持具であって、一本の鋼線から成り、直線部と該直線部の両端をそれぞれ折り曲げてコンクリート型枠用間隔規制部材を係止する係止部を形成する。
【発明を実施するための最良の形態】
【０００６】以下本発明に関わるコンクリート型枠用間隔保持具について詳細に説明する。図１は一本のピアノ線で形成したコンクリート型枠用間隔保持具Ａを示した図である。ピアノ線の直線部１５の各先端のフック部１２の形状は、ピアノ線を円形にして結線部１３にてそれぞれ結線してフック部１２を形成する。次にフック部１２ａはコンクリート型枠用間隔規制部材を規制する距離で折り曲げ外側規制片１４を形成後円形状のフック１２ａを形成したものである。【０００７】図２はコンクリート型枠用間隔規制部材の上面より固定するコンクリート型枠用間隔保持具Ｂを示した図である。【０００８】図３の１０ａは本発明のコンクリート型枠用間隔保持具Ａを使用して、コンクリート型枠用間隔規制部材２０を規制した図を示し、このコンクリート型枠用間隔規制部材２０と型枠内側規制部材１６で門型を形成して接合部１６ａで溶接されている。これによりコンクリート型枠１７の外側１７ｂを規制し、コンクリート型枠の内側１７ａはコンクリート型枠内側規制片１８にて規制されている。このコンクリート型枠内側規制片１８は型枠内側規制部材１６に溶接されている。【０００９】図４のａとｂはコンクリート型枠用間隔保持具Ａを固定した詳細図を示し、フック１２はハンドルアーム２４の延長線上のフック引っ掛け面２５で固定されている。【００１０】図５の１０ｂは本発明のコンクリート型枠用間隔保持具Ｂを用いて型枠固定部材３３を規制した図を示す。コンクリート型枠用間隔保持具３０は従来の形成のものであり、コンクリート型枠上部の間隔を規制している。本発明のコンクリート型枠用間隔保持具Ｂは、コンクリート型枠の下部を規制するものであり型枠固定部材３３を用いてコンクリート型枠３２の型枠折曲部３７の内側に設置し、コンクリート型枠用間隔保持具Ｂを用いて打ち釘３４にて固定し、型枠の間隔を保持するものである。【００１１】図６のＣは従来の門型式のコンクリート型枠用間隔保持具であり、このコンクリート型枠用間隔規制部材２０に取り付けられたブラッケット３８を打ち釘３９にてコンクリート２２に打ち込み固定する。【００１２】図７のＤは従来のコンクリート型枠用間隔保持具３０で型枠３２の上部を規制し型枠３２の下部はコンクリート型枠用間隔規制部材５０を用いて型枠外側に合わせ打ち釘５１にて固定するものである。【００１３】図８は本発明のコンクリート型枠用間隔保持具Ｂをコンクリート３５が完成後コンクリート３５より除去する図を示す。即ち本発明のコンクリート型枠用間隔保持具はどちらか一方の折り曲げ部を切断すれば容易に引き抜くことが出来、その後小径の空穴が出来るが極小である。【００１４】図９は本発明のコンクリート型枠用間隔保持具の一例であって、一本のピアノ線の直線部１５の両端を折り曲げてフック形状１１を形成したコンクリート型枠用間隔保持具を示す図である。【００１５】図１０は一本のピアノ線を用いてその両端部にフック部６１を形成しその間に直線部１５を設け、次に折り曲げてフック部６２を形成し高荷重に耐えうるコンクリート型枠用間隔保持具を示す図である。
【発明の効果】
【００１６】本発明によるコンクリート型枠用間隔保持具によれば、対向して配置した一対のコンクリート型枠間に注入されるコンクリートの圧力によるコンクリート型枠用間隔規制部材の開きを高張力を有する鋼線で受け止めることが出来、型枠を所定間隔に確実に保持することが出来る。又本発明によるコンクリート型枠用間隔保持具は、一方の鋼線を切断すれば容易にコンクリート内から引き抜き除去出来る。従って残骸も残らない。
【図面の簡単な説明】
【００１７】
【図１】本発明の実施例に係るコンクリート型枠用間隔規制部材を固定する２線式型枠間隔保持具を示す。
【図２】本発明の実施例に係るコンクリート型枠用間隔規制部材を固定する１線式型枠間隔保持具を示す。
【図３】本発明の２線式コンクリート型枠用間隔保持具を用いてコンクリート型枠用間隔規制部材を固定する使用方法を示した図である。
【図４】本発明の２線式コンクリート型枠用間隔保持具でコンクリート型枠用間隔規制部材を固定する機構の細部を図４−ａに示し、図４−ｂは左側面図である。
【図５】本発明の１線式コンクリート型枠用間隔保持具を用いてコンクリート型枠用間隔規制部材を固定する使用方法を示した図である。
【図６】従来技術のコンクリート型枠用間隔規制部材を固定する斜視図である。
【図７】従来技術のコンクリート型枠用間隔規制部材を固定する斜視図である。
【図８】本発明に係るコンクリート型枠用間隔保持異をコンクリートより除去する方法を示す図である。
【図９】本発明に係るコンクリート型枠用間隔規制部材を固定するコンクリート型枠用間隔保持具の形状の参考例１を示す図である。
【図１０】本発明に係るコンクリート型枠用間隔規制部材を固定するコンクリート型枠用間隔保持具の形状の参考例２を示す図である。
【符号の説明】
【００１８】１１，１２，１２ａ、６１，６２・・・フック部
１３・・・結線部
１４・・・外側規制片
１５・・・直線部
１６・・・型枠内側規制部材
１６ａ・・・接合部
１７，３２・・・コンクリート型枠
１７ａ・・・コンクリート型枠内側
１７ｂ・・・コンクリート型枠外側
１８・・・コンクリート型枠内側規制片
１９・・・コンクリート型枠連結用取付穴
２０、５０・・・コンクリート型枠用間隔規制部材
２１，２２，３５，３６，５２，５３・・・コンクリート
２３・・・ハンドル
２４・・・ハンドルアーム
２５・・・フック引っ掛け軸
２５ａ・・・フック引っ掛け面
２５ｂ・・・フック呼び込み面
２６・・・バカ穴
２７・・・ハンドル回転軸
２８・・・軸抜け止めカラー
２９・・・型枠外側規制片
３０・・・コンクリート型枠用間隔保持具（従来品）
３１・・・型枠内側規制片
３３・・・型枠固定部材
３７・・・型枠折曲部
３８・・・ブラッケット
３４，３９，５１・・・打ち釘
４０・・・空穴
Ａ，Ｂ・・・コンクリート型枠用間隔保持具
【図１】
2005180146.tif 000003
【図２】
2005180146.tif 000004
【図３】
2005180146.tif 000005
【図４】
2005180146.tif 000006
【図５】
2005180146.tif 000007
【図６】
2005180146.tif 000008
【図７】
2005180146.tif 000009
【図８】
2005180146.tif 000010
【図９】
2005180146.tif 000011
【図１０】
2005180146.tif 000012